(57)【要約】【課題】“０”〜“９”の数字補助キーが揃っていない場合でも、所望のトラック位置をより簡単にサーチ可能な情報再生装置を提供する。【解決手段】任意に選択したトラック番号の情報を再生する場合、モード切替ボタン４により数字入力モードに切り替え、フォーカス移動チューニング摘み１により数字入力が可能なフォーカス状態の桁位置をＵＰ／ＤＯＷＮさせ、表示部２にトラック番号の最大値まで表示可能な桁数の数字入力枠２ａ，２ｂ，２ｃを表示するとともに該フォーカス状態にある桁位置をハイライト表示し、数字補助キー５ａ〜５ｆのいずれかにプリセットされている数字をフォーカス状態の桁位置に入力する。数字補助キー５ａ〜５ｆに目的の数字が存在しない場合、目的の数字に最も近い数字を数字補助キーにより入力した後、数字チューニング摘み３によりフォーカス状態の桁位置に設定されたＳＰＡＣＥまたは数字から目的の数字までＵＰ／ＤＯＷＮさせる。【選択図】        図１
2009277331.tif 000002
【特許請求の範囲】
【請求項１】
記録媒体の複数のトラックに記録されている情報のうち、任意に指定したトラック番号の情報を再生する情報再生装置であって、機能が割り当てられ、かつ、数字が対応付けされた１０未満の数のプリセットキーを備え、当該プリセットキーを再生するトラック番号の入力のために利用可能な情報再生装置において、情報の再生を行う通常入力モードと選択すべきトラック番号の数字を入力する数字入力モードとを切り替えるモード切替手段を備え、かつ、前記モード切替手段により前記数字入力モードに設定されていた場合に、トラック番号の最大値まで表示可能な桁数の数字入力枠を表示し、数字入力が可能な状態にある桁位置の数字入力枠を数字入力フォーカス状態として表示する表示部と、数字入力フォーカス状態にある桁位置に設定されたＳＰＡＣＥまたは数字から一つずつ数値としてＵＰまたはＤＯＷＮさせる数字ＵＰ／ＤＯＷＮ手段とを備え、かつ、前記プリセットキーを押下操作した際に、数字入力が可能な数字入力フォーカス状態にある桁位置を、現在の位置から一つ移動させて、一つ移動した該桁位置に、押下操作された前記数字補助キーにプリセットされている数字を設定することを特徴とする情報再生装置。
【請求項２】
前記プリセットキーの押下操作により桁位置を現在の位置から一つ移動させる方向を、桁位置が下位方向へ一つＤＯＷＮする方向とする場合、前記モード切替手段を操作して前記数字入力モードに切り替えた後の最初の前記プリセットキーの押下操作においては、数字を入力する最初の桁位置が最上位の桁位置になるように設定され、逆に、前記プリセットキーの押下操作により桁位置を現在の位置から一つ移動させる方向を、桁位置が上位方向へ一つＵＰする方向とする場合、前記モード切替手段を操作して前記数字入力モードに切り替えた後の最初の前記プリセットキーの押下操作においては、数字を入力する最初の桁位置が最下位の桁位置になるように設定されることを特徴とする請求項１に記載の情報再生装置。
【請求項３】
記録媒体の複数のトラックに記録されている情報のうち、任意に指定したトラック番号の情報を再生する情報再生装置であって、機能が割り当てられ、かつ、数字が対応付けされた１０未満の数のプリセットキーを備え、当該プリセットキーを再生するトラック番号の入力のために利用可能な情報再生装置において、情報の再生を行う通常入力モードと選択すべきトラック番号の数字を入力する数字入力モードとを切り替えるモード切替手段を備え、かつ、前記モード切替手段により前記数字入力モードに設定されていた場合に、トラック番号の最大値まで表示可能な桁数の数字入力枠を表示し、数字入力が可能な状態にある桁位置の数字入力枠を数字入力フォーカス状態として表示する表示部と、数字入力が可能な数字入力フォーカス状態の桁位置をＵＰ／ＤＯＷＮさせて移動させるフォーカスＵＰ／ＤＯＷＮ手段と、数字入力フォーカス状態にある桁位置に設定されたＳＰＡＣＥまたは数字から一つずつ数値としてＵＰまたはＤＯＷＮさせる数字ＵＰ／ＤＯＷＮ手段とを備え、かつ、前記プリセットキーが、いずれかの前記プリセットキーを押下操作した際に、前記フォーカスＵＰ／ＤＯＷＮ手段の操作により数字入力が可能な数字入力フォーカス状態にある桁位置として設定した桁位置に、押下操作された前記プリセットキーにプリセットされている数字を設定することを特徴とする情報再生装置。
【請求項４】
記録媒体の複数のトラックに記録されている情報のうち、任意に指定したトラック番号の情報を再生する情報再生装置であって、再生するトラック番号をＳＰＡＣＥまたは数字から一つずつ数値としてＵＰまたはＤＯＷＮさせる数字ＵＰ／ＤＯＷＮ手段を備えている情報再生装置において、情報の再生を行う通常入力モードと選択すべきトラック番号の数字を入力する数字入力モードとを切り替えるモード切替手段を備え、かつ、前記モード切替手段により前記数字入力モードに設定されていた場合に、トラック番号の最大値まで表示可能な桁数の数字入力枠を表示し、数字入力が可能な状態にある桁位置の数字入力枠を数字入力フォーカス状態として表示する表示部と、数字入力が可能な数字入力フォーカス状態の桁位置をＵＰ／ＤＯＷＮさせて移動させるフォーカスＵＰ／ＤＯＷＮ手段とを備え、かつ、前記数字ＵＰ／ＤＯＷＮ手段が、前記フォーカスＵＰ／ＤＯＷＮ手段の操作により数字入力が可能な数字入力フォーカス状態にある桁位置として設定した桁位置に設定されている、ＳＰＡＣＥまたは数字から一つずつ数値としてＵＰまたはＤＯＷＮさせることを特徴とする情報再生装置。
【請求項５】
前記モード切替手段により前記数字入力モードから前記通常入力モードに切り替えた際に、前記表示部に表示されている数字列が示すトラック番号に記録されている情報を再生することを特徴とする請求項１ないし４のいずれかに記載の情報再生装置。
【請求項６】
前記表示部に数字入力が可能な数字入力フォーカス状態にある桁位置を表示する場合、当該桁位置の数字入力枠全体または数字入力枠の下線部を点滅表示するか、あるいは、あらかじめ定めた特定の図形を当該桁位置の数字入力枠の近傍に点滅表示することを特徴とする請求項１ないし５のいずれかに記載の情報再生装置。
【請求項７】
前記モード切替手段はモード切替ボタンであり、該モード切替ボタンを短押しした場合、前記通常入力モードと前記数字入力モードとの切り替えを行い、長押しまたはダブルクリックした場合には、入力した情報をクリアすることを特徴とする請求項１ないし６のいずれかに記載の情報再生装置。
【請求項８】
記録媒体の複数のトラックに記録されている情報のうち、任意に指定したトラック番号の情報を再生する情報再生装置におけるトラックサーチ方法であって、機能が割り当てられ、かつ、数字が対応付けされた１０未満の数のプリセットキーを備え、当該プリセットキーを再生するトラック番号の入力のために利用可能とする情報再生装置におけるトラックサーチ方法として、情報の再生を行う通常入力モードと選択すべきトラック番号の数字を入力する数字入力モードとを切り替えるモード切替ステップを有し、かつ、前記モード切替ステップにより前記数字入力モードに設定されていた場合に、表示部に、トラック番号の最大値まで表示可能な桁数の数字入力枠を表示するとともに、数字入力が可能な状態にある桁位置の数字入力枠を数字入力フォーカス状態として表示し、かつ、前記プリセットキーを押下操作した際に、数字入力が可能な数字入力フォーカス状態にある桁位置を、現在の位置から一つ移動させて、一つ移動した該桁位置に、押下操作された前記プリセットキーにプリセットされている数字を設定し、かつ、前記プリセットキーにプリセットされている数字として目的の数字が存在していなかった場合には、目的の数字に最も近い数字がプリセットされている前記プリセットキーを押下操作した後、数字ＵＰ／ＤＯＷＮステップにより、数字入力フォーカス状態にある桁位置に設定されたＳＰＡＣＥまたは数字から目的の数値まで一つずつＵＰまたはＤＯＷＮさせることを特徴とするトラックサーチ方法。
【請求項９】
前記プリセットキーの押下操作により桁位置を現在の位置から一つ移動させる方向を、桁位置が下位方向へ一つＤＯＷＮする方向とする場合、前記モード切替ステップにより前記数字入力モードに切り替えた後の最初の前記プリセットキーの押下操作においては、数字を入力する最初の桁位置が最上位の桁位置になるように設定され、逆に、前記プリセットキーの押下操作により桁位置を現在の位置から一つ移動させる方向を、桁位置が上位方向へ一つＵＰする方向とする場合、前記モード切替ステップにより前記数字入力モードに切り替えた後の最初の前記プリセットキーの押下操作においては、数字を入力する最初の桁位置が最下位の桁位置になるように設定されることを特徴とする請求項８に記載のトラックサーチ方法。
【請求項１０】
記録媒体の複数のトラックに記録されている情報のうち、任意に指定したトラック番号の情報を再生する情報再生装置におけるトラックサーチ方法であって、機能が割り当てられ、かつ、数字が対応付けされた１０未満の数のプリセットキーを備え、当該プリセットキーを再生するトラック番号の入力のために利用可能とする情報再生装置におけるトラックサーチ方法として、情報の再生を行う通常入力モードと選択すべきトラック番号の数字を入力する数字入力モードとを切り替えるモード切替ステップを有し、かつ、前記モード切替ステップにより前記数字入力モードに設定されていた場合に、フォーカスＵＰ／ＤＯＷＮステップにより、数字入力が可能な数字入力フォーカス状態の桁位置をＵＰ／ＤＯＷＮさせて移動させ、かつ、表示部に、トラック番号の最大値まで表示可能な桁数の数字入力枠を表示するとともに、数字入力が可能な状態にある桁位置の数字入力枠を数字入力フォーカス状態として表示し、かつ、前記プリセットキーを押下操作した際に、前記フォーカスＵＰ／ＤＯＷＮステップにより数字入力が可能な数字入力フォーカス状態にある桁位置として設定した桁位置に、押下操作された前記数字補助キーにプリセットされている数字を設定し、かつ、前記プリセットキーにプリセットされている数字として目的の数字が存在していなかった場合には、目的の数字に最も近い数字がプリセットされている前記プリセットキーを押下操作した後、数字ＵＰ／ＤＯＷＮステップにより、数字入力フォーカス状態にある桁位置に設定されたＳＰＡＣＥまたは数字から目的の数値まで一つずつＵＰまたはＤＯＷＮさせることを特徴とするトラックサーチ方法。
【請求項１１】
記録媒体の複数のトラックに記録されている情報のうち、任意に指定したトラック番号の情報を再生する情報再生装置におけるトラックサーチ方法であって、再生するトラック番号をＳＰＡＣＥまたは数字から目的の数値まで一つずつＵＰまたはＤＯＷＮさせる数字ＵＰ／ＤＯＷＮステップを有する情報再生装置におけるトラックサーチ方法として、情報の再生を行う通常入力モードと選択すべきトラック番号の数字を入力する数字入力モードとを切り替えるモード切替ステップを有し、かつ、前記モード切替ステップにより前記数字入力モードに設定されていた場合に、フォーカスＵＰ／ＤＯＷＮステップにより、数字入力が可能な数字入力フォーカス状態の桁位置をＵＰ／ＤＯＷＮさせて移動させ、かつ、表示部に、トラック番号の最大値まで表示可能な桁数の数字入力枠を表示するとともに、数字入力が可能な状態にある桁位置の数字入力枠を数字入力フォーカス状態として表示し、かつ、前記数字ＵＰ／ＤＯＷＮステップにより、前記フォーカスＵＰ／ＤＯＷＮステップにより数字入力が可能な数字入力フォーカス状態にある桁位置として設定した桁位置に設定されている、ＳＰＡＣＥまたは数字から目的の数値まで一つずつＵＰまたはＤＯＷＮさせることを特徴とするトラックサーチ方法。
【請求項１２】
前記モード切替ステップにより前記数字入力モードから前記通常入力モードに切り替えた際に、前記表示部に表示されている数字列が示すトラック番号に記録されている情報を再生することを特徴とする請求項８ないし１１のいずれかに記載のトラックサーチ方法。
【請求項１３】
前記表示部に数字入力が可能な数字入力フォーカス状態にある桁位置を表示する場合、当該桁位置の数字入力枠全体または数字入力枠の下線部を点滅表示するか、あるいは、あらかじめ定めた特定の図形を当該桁位置の数字入力枠の近傍に点滅表示することを特徴とする請求項８ないし１２のいずれかに記載のトラックサーチ方法。
【請求項１４】
前記モード切替ステップとしてモード切替ボタンを有し、該モード切替ボタンを短押しした場合、前記通常入力モードと前記数字入力モードとの切り替えを行い、長押しまたはダブルクリックした場合には、入力した情報をクリアすることを特徴とする請求項８ないし１３のいずれかに記載のトラックサーチ方法。
【請求項１５】
請求項８ないし１４のいずれかに記載のトラックサーチ方法を、コンピュータにより実行可能なプログラムとして実施していることを特徴とするトラックサーチプログラム。
【請求項１６】
請求項１５に記載のトラックサーチプログラムを、コンピュータにより読み取り可能な記録媒体に記録していることを特徴とするプログラム記録媒体。
【発明の詳細な説明】
【技術分野】
【０００１】
本発明は、情報再生装置、トラックサーチ方法、トラックサーチプログラムおよびプログラム記録媒体に関する。
【背景技術】
【０００２】
ＣＤやＤＶＤなどの記録媒体に記録されている情報を再生する従来の情報再生装置において、数字補助キー（数字プリセットキー）として、一部の数字のみを備え、“０”から“９”までのすべての数字が備えられていない場合、再生すべき情報を検索する際に、特許文献１の特開２０００−２６８４７３号公報「ビデオコンパクトディスク再生装置」に記載のように、トラック位置を１つずつ移動させるトラックＵＰ／ＤＯＷＮキーを用いて、所望のファイル（情報）を選択サーチするというトラックサーチ方法が採用されていた。
【０００３】
つまり、車載用音響装置の一例のカーオーディオの場合、コスト、スペースなどの要因から、ラジオ放送局の選局番号をプリセットするためのキーとして例えば“１”から“６”の６個の数字補助キー（数字プリセットキー）が設けられているが、“７”から“０”までの４個の数字補助キー（数字プリセットキー）は備えられていない場合が多い。このため、“０”から“９”までの数字補助キー（数字プリセットキー）が揃っていない例えば車載用音響装置やシステムコンポ等においては、音響情報や映像情報が記録されているトラックを収容するフォルダの中から、目的のトラックを再生したい場合、トラックＵＰ／ＤＯＷＮキーの押下操作を行うことによって、目的のトラックを選択することとしている。
【特許文献１】特開２０００−２６８４７３号公報（第３−４頁）
【発明の開示】
【発明が解決しようとする課題】
【０００４】
“０”から“９”までの数字補助キー（数字プリセットキー）が揃っていない従来の情報再生装置においては、前述のように、所望のトラックの情報を再生しようとする場合、トラック位置を１つずつ移動させるトラックＵＰ／ＤＯＷＮキーを用いて、所望のトラック位置まで移動するようにしていた。
【０００５】
このため、フォルダに存在するトラック数が多数に及ぶような情報再生装置の場合、所望のトラック位置に到達するまでに、トラックＵＰ／ＤＯＷＮキーを多くの回数に亘って押下操作することが必要になる。例えば、ＤＶＤのフォルダに３００個のトラックが存在する情報再生装置において、第１５０番目のトラックの情報を再生しようとする場合、トラックＵＰキーを１５０回も押下操作することが必要となり、面倒であるのみならず、操作時間が長くなり、利用者の利便性が大きく損なわれてしまうという問題がある。
【０００６】
本発明は、かかる事情に鑑みてなされたものであり、“０”から“９”までの数字補助キー（数字プリセットキー）が揃っていない場合であっても、所望のトラック位置をより簡単にサーチ（検索）することができる情報再生装置、トラックサーチ方法、トラックサーチプログラムおよびプログラム記録媒体を提供することを、その目的としている。
【課題を解決するための手段】
【０００７】
前述の課題を解決するため、本発明による情報再生装置、トラックサーチ方法、トラックサーチプログラムおよびプログラム記録媒体は、次のような特徴的な構成を採用している。
【０００８】
（１）記録媒体の複数のトラックに記録されている情報のうち、任意に指定したトラック番号の情報を再生する情報再生装置であって、機能が割り当てられ、かつ、数字が対応付けされた１０未満の数のプリセットキーを備え、当該プリセットキーを再生するトラック番号の入力のために利用可能な情報再生装置において、情報の再生を行う通常入力モードと選択すべきトラック番号の数字を入力する数字入力モードとを切り替えるモード切替手段を備え、かつ、前記モード切替手段により前記数字入力モードに設定されていた場合に、トラック番号の最大値まで表示可能な桁数の数字入力枠を表示し、数字入力が可能な状態にある桁位置の数字入力枠を数字入力フォーカス状態として表示する表示部と、数字入力フォーカス状態にある桁位置に設定されたＳＰＡＣＥまたは数字から一つずつ数値としてＵＰまたはＤＯＷＮさせる数字ＵＰ／ＤＯＷＮ手段とを備え、かつ、前記プリセットキーを押下操作した際に、数字入力が可能な数字入力フォーカス状態にある桁位置を、現在の位置から一つ移動させて、一つ移動した該桁位置に、押下操作された前記数字補助キーにプリセットされている数字を設定する情報再生装置。
（２）前記プリセットキーの押下操作により桁位置を現在の位置から一つ移動させる方向を、桁位置が下位方向へ一つＤＯＷＮする方向とする場合、前記モード切替手段を操作して前記数字入力モードに切り替えた後の最初の前記プリセットキーの押下操作においては、数字を入力する最初の桁位置が最上位の桁位置になるように設定され、逆に、前記プリセットキーの押下操作により桁位置を現在の位置から一つ移動させる方向を、桁位置が上位方向へ一つＵＰする方向とする場合、前記モード切替手段を操作して前記数字入力モードに切り替えた後の最初の前記プリセットキーの押下操作においては、数字を入力する最初の桁位置が最下位の桁位置になるように設定される上記（１）の情報再生装置。
（３）記録媒体の複数のトラックに記録されている情報のうち、任意に指定したトラック番号の情報を再生する情報再生装置であって、機能が割り当てられ、かつ、数字が対応付けされた１０未満の数のプリセットキーを備え、当該プリセットキーを再生するトラック番号の入力のために利用可能な情報再生装置において、情報の再生を行う通常入力モードと選択すべきトラック番号の数字を入力する数字入力モードとを切り替えるモード切替手段を備え、かつ、前記モード切替手段により前記数字入力モードに設定されていた場合に、トラック番号の最大値まで表示可能な桁数の数字入力枠を表示し、数字入力が可能な状態にある桁位置の数字入力枠を数字入力フォーカス状態として表示する表示部と、数字入力が可能な数字入力フォーカス状態の桁位置をＵＰ／ＤＯＷＮさせて移動させるフォーカスＵＰ／ＤＯＷＮ手段と、数字入力フォーカス状態にある桁位置に設定されたＳＰＡＣＥまたは数字から一つずつ数値としてＵＰまたはＤＯＷＮさせる数字ＵＰ／ＤＯＷＮ手段とを備え、かつ、前記プリセットキーが、いずれかの前記プリセットキーを押下操作した際に、前記フォーカスＵＰ／ＤＯＷＮ手段の操作により数字入力が可能な数字入力フォーカス状態にある桁位置として設定した桁位置に、押下操作された前記プリセットキーにプリセットされている数字を設定する情報再生装置。
（４）記録媒体の複数のトラックに記録されている情報のうち、任意に指定したトラック番号の情報を再生する情報再生装置であって、再生するトラック番号をＳＰＡＣＥまたは数字から一つずつ数値としてＵＰまたはＤＯＷＮさせる数字ＵＰ／ＤＯＷＮ手段を備えている情報再生装置において、情報の再生を行う通常入力モードと選択すべきトラック番号の数字を入力する数字入力モードとを切り替えるモード切替手段を備え、かつ、前記モード切替手段により前記数字入力モードに設定されていた場合に、トラック番号の最大値まで表示可能な桁数の数字入力枠を表示し、数字入力が可能な状態にある桁位置の数字入力枠を数字入力フォーカス状態として表示する表示部と、数字入力が可能な数字入力フォーカス状態の桁位置をＵＰ／ＤＯＷＮさせて移動させるフォーカスＵＰ／ＤＯＷＮ手段とを備え、かつ、前記数字ＵＰ／ＤＯＷＮ手段が、前記フォーカスＵＰ／ＤＯＷＮ手段の操作により数字入力が可能な数字入力フォーカス状態にある桁位置として設定した桁位置に設定されている、ＳＰＡＣＥまたは数字から一つずつ数値としてＵＰまたはＤＯＷＮさせる情報再生装置。
（５）前記モード切替手段により前記数字入力モードから前記通常入力モードに切り替えた際に、前記表示部に表示されている数字列が示すトラック番号に記録されている情報を再生する上記（１）ないし（４）のいずれかの情報再生装置。
（６）前記表示部に数字入力が可能な数字入力フォーカス状態にある桁位置を表示する場合、当該桁位置の数字入力枠全体または数字入力枠の下線部を点滅表示するか、あるいは、あらかじめ定めた特定の図形を当該桁位置の数字入力枠の近傍に点滅表示する上記（１）ないし（５）のいずれかの情報再生装置。
（７）前記モード切替手段はモード切替ボタンであり、該モード切替ボタンを短押しした場合、前記通常入力モードと前記数字入力モードとの切り替えを行い、長押しまたはダブルクリックした場合には、入力した情報をクリアする上記（１）ないし（６）のいずれかの情報再生装置。
（８）記録媒体の複数のトラックに記録されている情報のうち、任意に指定したトラック番号の情報を再生する情報再生装置におけるトラックサーチ方法であって、機能が割り当てられ、かつ、数字が対応付けされた１０未満の数のプリセットキーを備え、当該プリセットキーを再生するトラック番号の入力のために利用可能とする情報再生装置におけるトラックサーチ方法として、情報の再生を行う通常入力モードと選択すべきトラック番号の数字を入力する数字入力モードとを切り替えるモード切替ステップを有し、かつ、前記モード切替ステップにより前記数字入力モードに設定されていた場合に、表示部に、トラック番号の最大値まで表示可能な桁数の数字入力枠を表示するとともに、数字入力が可能な状態にある桁位置の数字入力枠を数字入力フォーカス状態として表示し、かつ、前記プリセットキーを押下操作した際に、数字入力が可能な数字入力フォーカス状態にある桁位置を、現在の位置から一つ移動させて、一つ移動した該桁位置に、押下操作された前記プリセットキーにプリセットされている数字を設定し、かつ、前記プリセットキーにプリセットされている数字として目的の数字が存在していなかった場合には、目的の数字に最も近い数字がプリセットされている前記プリセットキーを押下操作した後、数字ＵＰ／ＤＯＷＮステップにより、数字入力フォーカス状態にある桁位置に設定されたＳＰＡＣＥまたは数字から目的の数値まで一つずつＵＰまたはＤＯＷＮさせるトラックサーチ方法。
（９）前記プリセットキーの押下操作により桁位置を現在の位置から一つ移動させる方向を、桁位置が下位方向へ一つＤＯＷＮする方向とする場合、前記モード切替ステップにより前記数字入力モードに切り替えた後の最初の前記プリセットキーの押下操作においては、数字を入力する最初の桁位置が最上位の桁位置になるように設定され、逆に、前記プリセットキーの押下操作により桁位置を現在の位置から一つ移動させる方向を、桁位置が上位方向へ一つＵＰする方向とする場合、前記モード切替ステップにより前記数字入力モードに切り替えた後の最初の前記プリセットキーの押下操作においては、数字を入力する最初の桁位置が最下位の桁位置になるように設定される上記（８）のトラックサーチ方法。
（１０）記録媒体の複数のトラックに記録されている情報のうち、任意に指定したトラック番号の情報を再生する情報再生装置におけるトラックサーチ方法であって、機能が割り当てられ、かつ、数字が対応付けされた１０未満の数のプリセットキーを備え、当該プリセットキーを再生するトラック番号の入力のために利用可能とする情報再生装置におけるトラックサーチ方法として、情報の再生を行う通常入力モードと選択すべきトラック番号の数字を入力する数字入力モードとを切り替えるモード切替ステップを有し、かつ、前記モード切替ステップにより前記数字入力モードに設定されていた場合に、フォーカスＵＰ／ＤＯＷＮステップにより、数字入力が可能な数字入力フォーカス状態の桁位置をＵＰ／ＤＯＷＮさせて移動させ、かつ、表示部に、トラック番号の最大値まで表示可能な桁数の数字入力枠を表示するとともに、数字入力が可能な状態にある桁位置の数字入力枠を数字入力フォーカス状態として表示し、かつ、前記プリセットキーを押下操作した際に、前記フォーカスＵＰ／ＤＯＷＮステップにより数字入力が可能な数字入力フォーカス状態にある桁位置として設定した桁位置に、押下操作された前記数字補助キーにプリセットされている数字を設定し、かつ、前記プリセットキーにプリセットされている数字として目的の数字が存在していなかった場合には、目的の数字に最も近い数字がプリセットされている前記プリセットキーを押下操作した後、数字ＵＰ／ＤＯＷＮステップにより、数字入力フォーカス状態にある桁位置に設定されたＳＰＡＣＥまたは数字から目的の数値まで一つずつＵＰまたはＤＯＷＮさせるトラックサーチ方法。
（１１）記録媒体の複数のトラックに記録されている情報のうち、任意に指定したトラック番号の情報を再生する情報再生装置におけるトラックサーチ方法であって、再生するトラック番号をＳＰＡＣＥまたは数字から目的の数値まで一つずつＵＰまたはＤＯＷＮさせる数字ＵＰ／ＤＯＷＮステップを有する情報再生装置におけるトラックサーチ方法として、情報の再生を行う通常入力モードと選択すべきトラック番号の数字を入力する数字入力モードとを切り替えるモード切替ステップを有し、かつ、前記モード切替ステップにより前記数字入力モードに設定されていた場合に、フォーカスＵＰ／ＤＯＷＮステップにより、数字入力が可能な数字入力フォーカス状態の桁位置をＵＰ／ＤＯＷＮさせて移動させ、かつ、表示部に、トラック番号の最大値まで表示可能な桁数の数字入力枠を表示するとともに、数字入力が可能な状態にある桁位置の数字入力枠を数字入力フォーカス状態として表示し、かつ、前記数字ＵＰ／ＤＯＷＮステップにより、前記フォーカスＵＰ／ＤＯＷＮステップにより数字入力が可能な数字入力フォーカス状態にある桁位置として設定した桁位置に設定されている、ＳＰＡＣＥまたは数字から目的の数値まで一つずつＵＰまたはＤＯＷＮさせるトラックサーチ方法。
（１２）前記モード切替ステップにより前記数字入力モードから前記通常入力モードに切り替えた際に、前記表示部に表示されている数字列が示すトラック番号に記録されている情報を再生する上記（８）ないし（１１）のいずれかのトラックサーチ方法。
（１３）前記表示部に数字入力が可能な数字入力フォーカス状態にある桁位置を表示する場合、当該桁位置の数字入力枠全体または数字入力枠の下線部を点滅表示するか、あるいは、あらかじめ定めた特定の図形を当該桁位置の数字入力枠の近傍に点滅表示する上記（８）ないし（１２）のいずれかのトラックサーチ方法。
（１４）前記モード切替ステップとしてモード切替ボタンを有し、該モード切替ボタンを短押しした場合、前記通常入力モードと前記数字入力モードとの切り替えを行い、長押しまたはダブルクリックした場合には、入力した情報をクリアする上記（８）ないし（１３）のいずれかのトラックサーチ方法。
（１５）上記（８）ないし（１４）のいずれかのトラックサーチ方法を、コンピュータにより実行可能なプログラムとして実施しているトラックサーチプログラム。
（１６）上記（１５）のトラックサーチプログラムを、コンピュータにより読み取り可能な記録媒体に記録しているプログラム記録媒体。
【発明の効果】
【０００９】
本発明の情報再生装置、トラックサーチ方法、トラックサーチプログラムおよびプログラム記録媒体によれば、以下のような効果を得ることができる。
【００１０】
数字がプリセットされているプリセットキー（数字補助キー）として“０”から“９”までのすべての数字が揃っていない情報再生装置であっても、トラック番号を設定しようとする場合、所望の数値に最も近いプリセットキー（数字補助キー）を選択サーチした後、数字ＵＰ／ＤＯＷＮ手段（数字ＵＰ／ＤＯＷＮキーまたは数字チューニング摘み）による所望の数値への移動により、トラック番号としての目的の数値を迅速に選択サーチすることができる。さらに、複数の桁数からなるトラック番号の場合、数字入力フォーカスとして、設定しようとする桁位置への移動を行うためのフォーカスＵＰ／ＤＯＷＮキー（またはフォーカス移動チューニング摘み）を備えることにより、数字を設定しようとする桁位置に迅速に移動することができる。
【００１１】
而して、ＤＶＤなどの記録媒体における情報の記録容量が多くなり、フォルダ内のトラック数が増大した場合であっても、目的とするフォルダのトラック番号を迅速に選択することができ、所望の情報を再生することができる。
【発明を実施するための最良の形態】
【００１２】
以下、本発明による情報再生装置、トラックサーチ方法、トラックサーチプログラムおよびプログラム記録媒体の好適な実施形態について添付図を参照して説明する。なお、以下の説明においては、本発明による情報再生装置、トラックサーチ方法について説明するが、かかるトラックサーチ方法をコンピュータにより実行可能なトラックサーチプログラムとして実施するようにしても良いし、あるいは、トラックサーチプログラムをコンピュータにより読み取り可能な記録媒体に記録するようにしても良いことは言うまでもない。
【００１３】
なお、本発明による情報再生装置は、トラックサーチ用として、“０”から“９”までのプリセットキー（数字補助キー）が揃っていないかあるいはプリセットキー（数字補助キー）そのものが備えられていない情報再生機能付きの装置であれば、如何なる装置であっても適用することが可能であり、具体的には、例えば、車載用音響装置、家庭用システムコンポなどに好適に適用することができる。また、以下に説明する実施形態においては、情報の最大記録容量を示すトラック番号として３桁の数字列にて表現される場合について主に説明しているが、３桁の数字列以外の桁数であっても、本発明をそのまま適用することができることは言うまでもない。
【００１４】
（本発明のポイント）
本発明の実施形態の説明に先立って、本発明のポイントについてまず説明する。本発明は、“０”〜“９”の数字それぞれをプリセットしているプリセットキー（数字補助キー）が揃っていない情報再生装置において、情報の再生を行う通常入力モードとトラック番号の入力を行う数字入力モードとの切替を行うモード切替手段のモード切替キーと、数字入力を行うことを可能とする桁位置を移動させてフォーカスするフォーカスＵＰ／ＤＯＷＮ手段（例えばフォーカス移動チューニング摘みまたはフォーカスＵＰ／ＤＯＷＮキー）と、目的とする数値までＵＰ／ＤＯＷＮさせる数字ＵＰ／ＤＯＷＮ手段（例えば数字チューニング摘みまたは数字ＵＰ／ＤＯＷＮキー）とからなり、モード切替手段（モード切替キー）により数字入力モードに切り替えた状態で、フォーカスＵＰ／ＤＯＷＮ手段（例えばフォーカス移動チューニング摘みまたはフォーカスＵＰ／ＤＯＷＮキー）にて、数字入力する桁位置を適宜移動させて、目的の数値に近い数字を数字プリセットキー（数字補助キー）により設定した後、数字ＵＰ／ＤＯＷＮ手段（例えば数字チューニング摘みまたは数字ＵＰ／ＤＯＷＮキー）により、目的の数値までＵＰ／ＤＯＷＮさせることにより、目的のトラック番号を迅速にサーチすることを可能とするものである。
【００１５】
つまり、本発明は、次の点を主要な特徴としている。
【００１６】
１）目的の数値がプリセットキー（数字補助キー）にプリセットされていない場合、目的の数値に最も近い数字がプリセットされているプリセットキー（数字補助キー）を押下操作することにより、プリセットされている当該数字をまず入力した後、数字ＵＰ／ＤＯＷＮ手段（例えば数字チューニング摘みまたは数字ＵＰ／ＤＯＷＮキー）を操作することにより、目的の数値まで移動させる。
【００１７】
２）さらに、複数の桁数からなるトラック番号を迅速に設定可能とするために、フォーカスＵＰ／ＤＯＷＮ手段（例えばフォーカス移動チューニング摘みまたはフォーカスＵＰ／ＤＯＷＮキー）を操作することにより、数字入力フォーカス移動（つまり数字入力を行う桁位置の移動）を行う機能を実現する。
【００１８】
３）数字入カフォーカスされた桁位置は、数字入力枠の下線点滅などの表示により表示部に表示する。
【００１９】
（実施形態の構成例）
図１は、本発明による情報再生装置の操作パネルの一構成例を示す正面図である。図１に示す情報再生装置の操作パネル１０には、数字フォーカスを移動するフォーカスＵＰ／ＤＯＷＮ手段の一例であるフォーカス移動チューニング摘み１、入力しようとする数字まで遷移させてチューニングする数字ＵＰ／ＤＯＷＮ手段の一例である数字チューニング摘み３、トラック番号を入力する数字入力モードと情報の再生を行う通常入力モードとの間の切替を行うモード切替手段の一例であるモード切替ボタン４、数字がプリセットされているプリセットキーつまり数字補助キー５、および、各種情報を表示する表示部２が少なくとも配置されている。
【００２０】
フォーカス移動チューニング摘み１は、トラック番号を入力する数字入力モードにおいて、トラック番号として入力しようとする数字の桁位置を移動するための摘みであり、時計方向に回すと、例えば桁位置がＵＰする方向に移動して、桁位置が上位方向へと移動し、反時計方向に回すと、桁位置が逆にＤＯＷＮする方向に移動して、桁位置が下位方向へと移動する。なお、桁位置のカウント方向を最下位側から１，２，３，…桁目とカウントするのではなく、最上位桁側から順次１，２，３，…桁目とカウントするようにしても良く、かかる場合においては、前述の移動方向とは逆に、フォーカス移動チューニング摘み１を例えば時計方向に回すと、順次、桁位置が下位方向へと移動し、反時計方向に回すと、桁位置が逆に上位方向へと移動する。
【００２１】
また、フォーカス移動チューニング摘み１は、情報を再生する通常入力モードに設定されている場合は、再生情報が格納されているフォルダの選択を行うための摘みとして動作する。
【００２２】
数字チューニング摘み３は、数字入力モードにおいて、フォーカス移動チューニング摘み１によって数字フォーカスされている桁位置に入力する数字をＵＰ／ＤＯＷＮするための摘みであり、時計方向に回すと、例えば数字がＵＰする方向に移動し、反時計方向に回すと、数字が逆にＤＯＷＮする方向に移動する。
【００２３】
モード切替ボタン４は、短押しする都度、トラック番号を示す数字を入力するための数字入力モードと情報再生装置としての通常の再生動作を行う通常入力モードとの間を切り替えるボタンであるが、さらに、長押し（またはダブルクリック）した場合には、入力内容をキャンセルするキャンセルボタンの機能も併せ備えている。
【００２４】
プリセットキーつまり数字補助キー５は、複数のキーを備えており、それぞれのキーには、あらかじめ定めた数字がプリセットされており、数字入力モードにおいて、いずれかのキーが押下操作された場合、押下操作されたキーにプリセットされている数字が入力される。図１に示す本実施形態においては、数字補助キー５として、数字“１”がプリセットされている数字“１”補助キー５ａ、数字“２”がプリセットされている数字“２”補助キー５ｂ、数字“３”がプリセットされている数字“３”補助キー５ｃ、数字“４”がプリセットされている数字“４”補助キー５ｄ、数字“５”がプリセットされている数字“５”補助キー５ｅ、数字“６”がプリセットされている数字“６”補助キー５ｆの６個が備えられている場合を示している。
【００２５】
表示部２は、数字入力モードに設定されている場合は、トラック番号として入力される数字を表示するとともに、入力する数字の桁位置を数字入力フォーカスとしてハイライト表示する。図１に示す本実施形態においては、トラック番号として入力する数字の桁数が３桁の場合を示しており、３桁目の数字２ａ、２桁目の数字２ｂ、１桁目の数字２ｃが画面表示される。
【００２６】
また、図２は、本発明による情報再生装置の操作パネルの図１とは異なる構成例を示す正面図である。図２に示す情報再生装置の操作パネル１０Ａは、図１に示す操作パネル１０のフォーカス移動チューニング摘み１の代わりに、桁位置をＵＰする方向に移動するフォーカスＵＰ手段の一例であるフォーカスＵＰキー１ａ、桁位置をＤＯＷＮする方向に移動するフォーカスＤＯＷＮ手段の一例であるフォーカスＤＯＷＮキー１ｂが配置され、図１に示す操作パネル１０の数字チューニング摘み３の代わりに、数字がＵＰする方向に移動する数字ＵＰ手段の一例である数字ＵＰキー３ａ、数字がＤＯＷＮする方向に移動する数字ＤＯＷＮ手段の一例である数字ＤＯＷＮキー３ｂが配置されている。これらの他のキー／ボタンや表示部については、図１の操作パネル１０と同様であり、同一の符号を用いて示している。
【００２７】
（実施形態の動作の説明）
次に、図１に示す操作パネル１０、または、図２に示す操作パネル１０Ａを備えた情報再生装置のトラックサーチ動作の一例について、図１、図２に示すように、“１”から“６”までの数字がプリセットされている数字補助キー５が備えられている場合と、図１、図２の操作パネルの場合とは異なり、数字がプリセットされている数字補助キー５が備えられていない場合との２つの場合について順次説明する。
【００２８】
（数字補助キーが備えられている場合）
まず、図１、図２のように、操作パネル１０，１０Ａに、数字がプリセットされている数字補助キー５が備えられている場合のトラックサーチ動作の一例について説明する。ここで、数字補助キー５としては、図１、図２の数字“１”キー〜数字“６”キーに示すように、“１”〜“６”までの数字はプリセットされているものの、“０”、“７”〜“９”の数字に関しては数字補助キーが備えられていないものとする。
【００２９】
最初に、情報の再生を行う通常入力モードに設定した状態で、図１の操作パネル１０の場合には、フォーカス移動チューニング摘み１の回転操作により、または、図２の操作パネル１０Ａの場合には、フォーカスＵＰキー１ａまたはフォーカスＤＯＷＮキー１ｂの押下操作により、再生しようとする目的の情報が収容されているフォルダまで移動する。
【００３０】
次に、目的の情報が記録されているトラック番号を入力するために、モード切替ボタン４の短押し操作によって、通常入力モードからトラック番号入力用の数字入力モードに切り替えると、選択した目的のフォルダ内に例えば最大３桁のトラック番号までのトラックが存在している場合、表示部２には、３桁の数字入力枠つまり３桁目の数字２ａ、２桁目の数字２ｂ、１桁目の数字２ｃの数字入力枠が表示され、デフォルトとして、すべての桁位置に“ＳＰＡＣＥ”が設定されるとともに、最上位の桁である３桁目の数字２ａの入力枠が、数字入カフォーカスされ、ハイライト表示される。
【００３１】
ここで、数字入カフォーカスされて、ハイライト表示する具体的な表示方法としては、例えば、数字入力枠の下線が点滅表示するようにしても良いし、数字入力枠そのものが点滅表示するようにしても良いし、あるいは、数字入力枠の周辺近傍にハイライト表示としてあらかじめ定めた特定の図形が点滅表示するようにしても良い。
【００３２】
次に、数字入カフォーカスされている桁位置の目的の数字が、数字補助キー５の中に存在している場合には、目的の数字に該当する数字補助キー５（例えば、目的の数字が“１”の場合は、数字“１”補助キー５ａ）を短押し操作して選択すると、選択した数字補助キー５にプリセットされている数字（例えば、数字“１”補助キー５ａの場合、“１”）が、表示部２の数字入カフォーカスされている桁位置例えば３桁目の数字２ａの数字入力枠に表示される。
【００３３】
一方、数字入カフォーカスされている桁位置の目的の数字が、数字補助キー５の中に存在していない場合は、まず、数字“１”補助キー５ａにプリセットされている最小の数字“１”と数字“６”補助キー５ｆにプリセットされている最大の数字“６”とのうち、いずれか目的の数字に近い数字の数字補助キー５を短押し操作することにより、目的の数字に近い方のプリセット数字を入力する。選択した数字補助キー５にプリセットされている数字は、表示部２の数字入カフォーカスされている桁位置例えば３桁目の数字２ａの数字入力枠に表示される。
【００３４】
例えば、目的の数字が“７”から“９”の場合には、数字補助キー５のうち、数字“６”補助キー５ｆを短押しして、“６”を入力し、目的の数字が“０”または“ＳＰＡＣＥ”の場合には、数字補助キー５のうち、数字“１”補助キー５ａを短押しして、“１”を入力する。
【００３５】
次に、図１に示す操作パネル１０の場合は、数字チューニング摘み３の回転操作により、または、図２に示す操作パネル１０Ａの場合は、数字ＵＰキー３ａ、数字ＤＯＷＮキー３ｂのいずれかの短押し操作により、表示部２の数字入カフォーカスされている桁位置例えば３桁目の数字２ａの数字入力枠に表示されている数字が、目的の数字になるように、ＵＰ／ＤＯＷＮさせる操作を行う。
【００３６】
例えば、目的の数字が“７”の場合には、数字“６”補助キー５ｆの短押しにより、表示部２の数字入カフォーカスされている桁位置例えば３桁目の数字２ａの数字入力枠に“６”が設定されている状態にあるので、図１の操作パネル１０の場合は、数字チューニング摘み３を時計方向に回転操作して、“６”を“７”にＵＰさせ、または、図２の操作パネル１０Ａの場合は、数字ＵＰキー３ａを短押し操作して、“６”を“７”にＵＰさせる。一方、目的の数字が“０”の場合には、数字“１”補助キー５ａの短押しにより、表示部２の数字入カフォーカスされている桁位置例えば３桁目の数字２ａの数字入力枠に“１”が設定されている状態にあるので、図１の操作パネル１０の場合は、数字チューニング摘み３を反時計方向に回転操作して、“１”を“０”にＤＯＷＮさせ、または、図２の操作パネル１０Ａの場合は、数字ＤＯＷＮキー３ｂを短押し操作して、“１”を“０”にＤＯＷＮさせる。
【００３７】
次に、図１の操作パネル１０の場合は、フォーカス移動チューニング摘み１の回転操作により、または、図２の操作パネル１０Ａの場合は、フォーカスＤＯＷＮキー１ｂの押下操作により、数字入力フォーカスを次の桁位置例えば３桁目の数字２ａの入力枠から２桁目の数字２ｂの入力枠へ移動させると、表示部２には、次の桁位置として選択された数字表示枠例えば２桁目の数字２ｂの入力枠が数字入カフォーカスされ、ハイライト表示される。
【００３８】
次いで、数字入カフォーカスされている桁位置例えば２桁目の数字２ｂの入力枠の数字が目的の数字となるように、前述した場合と同様の操作を行う。つまり、数字入カフォーカスされている桁位置の目的の数字が、数字補助キー５の中に存在している場合には、目的の数字に該当する数字補助キー５（例えば、目的の数字が“１”の場合は、数字“１”補助キー５ａ）を短押し操作してプリセットされている数字を入力する。
【００３９】
一方、数字補助キー５の中に存在していない場合は、数字補助キー５のうち、数字“１”補助キー５ａにプリセットされている最小の数字“１”と数字“６”補助キー５ｆにプリセットされている最大の数字“６”とのいずれか目的の数字に近い数字の数字補助キー５の短押しにより、まず、目的の数字に近い方のプリセット数字を入力した後、図１に示す操作パネル１０の場合は、数字チューニング摘み３の回転操作により、または、図２に示す操作パネル１０Ａの場合は、数字ＵＰキー３ａ、数字ＤＯＷＮキー３ｂのいずれかの短押し操作により、表示部２の数字入カフォーカスされている桁位置例えば２桁目の数字２ｂの数字入力枠に表示されている数字が、目的の数字になるように操作する。
【００４０】
以降、すべての桁位置が目的の数字に設定されるまで、前述の操作を繰り返すことにより、例えば、３桁のトラックサーチを行う場合には、目的のトラック番号を示す３桁の数字が、表示部２の３桁目の数字２ａ、２桁目の数字２ｂ、１桁目の数字２ｃとして表示される状態になる。かくのごとく、数字補助キー５により目的の数字を直接入力するか、あるいは、目的の数字に最も近い数字を入力した後、数字のＵＰ／ＤＯＷＮ操作を行うことによって、目的とするトラック番号を高速にサーチする（入力する）ことができる。
【００４１】
かくのごときトラックサーチ操作によって、目的のトラック番号が表示部２に設定された状態で、モード切替ボタン４の短押し操作によって、数字入力モードから情報の再生を行う通常入力モードに切り替えると、目的のトラック番号の情報が再生される。
【００４２】
なお、数字入力モードにおいて、モード切替ボタン４の長押し操作（またはダブルクリック操作）を行った場合、入力した数字をクリアする動作が実行されて、表示部２の３桁目の数字２ａ、２桁目の数字２ｂ、１桁目の数字２ｃには、“ＳＰＡＣＥ”が表示され、再入力を促すために、最上位の桁位置である３桁目の数字２ａの数字入力枠が数字入力フォーカスされて、ハイライト表示された状態に復帰する。
【００４３】
また、トラック番号を示す情報として、無効な数字列が入力された場合には、再入力を促すために、モード切替ボタン４の長押し操作した場合と同様に、入力した数字をクリアする動作を行い、再度、数字の入力を促す状態に復帰する。ここで、トラック番号として、無効な数字列ではなく、有効な数字列として扱われる数字列は、例えば３桁の数字列の場合、次の５種類である。
（ａ）「数字」、「数字」、「数字」
（ｂ）「数字」、「数字」、「ＳＰＡＣＥ」
（ｃ）「数字」、「ＳＡＰＣＥ」、「ＳＰＡＣＥ」
（ｄ）「ＳＰＡＣＥ」、「ＳＡＰＣＥ」、「数字」
（ｅ）「ＳＰＡＣＥ」、「数字」、「数字」
【００４４】
つまり、設定した数字が数字列として有意な情報であった場合には、トラック番号として有効な情報となるが、一方、「数字」、「ＳＰＡＣＥ」、「数字」や「ＳＰＡＣＥ」、「数字」、「ＳＰＡＣＥ」などは、トラック番号として無効な数字列であり、入力制限される。なお、フォルダ内のトラック番号の最大値を超える数字列についても、当然のことながら、トラック番号として無効な数字列であり、入力制限される。
【００４５】
（数字補助キーが備えられている場合の第１の具体例）
例えば、具体的なトラック番号の入力例として１８０番のトラック番号を選択する場合、以下のような操作を行うことにより、目的のトラックの情報を迅速に再生することができる。
【００４６】
１）まず、モード切替ボタン４の短押し操作により、数字入力モードに切り替える。この際に、前述したように、トラック番号の最上位の桁位置の数字入力枠が、例えば３桁の数字列の場合は３桁目の数字２ａの桁位置の数字入力枠が、数字入力フォーカスされて、ハイライト表示される。
【００４７】
２）次に、数字補助キー５のうち、数字“１”補助キー５ａを短押しして、プリセット数字“１”を表示部２の３桁目の数字２ａの数字入力枠に設定した後、図１のフォーカス移動チューニング摘み１の反時計方向への１刻み分の回転操作または図２のフォーカスＤＯＷＮキー１ｂの１回押下操作により、次の２桁目の桁位置に移動した後、数字“６”補助キー５ｆの短押し操作により、プリセット数字“６”を、２桁目の数字２ｂの数字入力枠に設定する。
【００４８】
３）しかる後、図１の数字チューニング摘み３の時計方向への２刻み分の回転操作または図２の数字ＵＰキー３ａの２回短押し操作により“６”を“８”にＵＰさせ、３桁目の数字２ａ、２桁目の数字２ｂとして“１８”に設定する。
【００４９】
４）次に、図１のフォーカス移動チューニング摘み１の反時計方向への１刻み分の回転操作または図２のフォーカスＤＯＷＮキー１ｂの１回押下操作により、次の１桁目の桁位置に移動した後、数字“１”補助キーを短押しして、プリセット数字“１”を、１桁目の数字２ｃの数字入力枠に設定する。
【００５０】
５）しかる後、図１の数字チューニング摘み３の反時計方向への１刻み分の回転操作または図２の数字ＤＯＷＮキー３ｂの１回短押し操作により“１”を“０”にＤＯＷＮさせる。この結果、３桁目の数字２ａ、２桁目の数字２ｂ、１桁目の数字２ｃとして“１８０”を表示部２に表示する。
【００５１】
６）最後に、モード切替ボタン４の短押し操作により、数字入力モードを解除して、通常入力モードに復帰させることにより、目的のトラック番号“１８０”の情報が再生される。
【００５２】
（数字補助キーが備えられている場合の第２の具体例）
以上の第１の具体例の説明においては、数字入力フォーカスされる桁位置を移動する場合、図１のフォーカス移動チューニング摘み１の回転操作または図２のフォーカスＵＰキー１ａ／フォーカスＤＯＷＮキー１ｂの押下操作を行う動作例について示したが、数字補助キー５が備えられている場合には、該数字補助キー５の短押し操作により、数字入力フォーカスされる桁位置を１つ移動させるとともに、移動後の桁位置に、プリセットされている数字を入力することとしても良い。なお、この場合には、数字入力フォーカスされていく順序が、数字補助キー５の短押し操作ごとに、最上位の桁位置から順次下位側の桁位置に１つずつ移動するか、あるいは、最下位の桁位置から順次上位側の桁位置に１つずつ移動していくこととする。
【００５３】
例えば、本第２の具体例においては、前述の第１の具体例に示した１８０番のトラック番号を選択する場合、以下のような操作を行う。ここでは、数字入力フォーカスされていく順序が、数字補助キー５の短押し操作ごとに、最上位の桁位置から順次下位側の桁位置に移動する場合を例にとって説明する。
【００５４】
１）まず、モード切替ボタン４の短押し操作により、数字入力モードに切り替える。この際、最上位の桁位置がハイライト表示されているものの、数字入力フォーカスされる桁位置は、仮想的に、最上位の桁位置の一つ上にあり、数字補助キー５のいずれかが押下操作されると、最上位の桁位置に移動して、押下操作された数字補助キー５にプリセットされている数字が最上位の桁位置に入力されて、表示部２にハイライト表示されることになる。
【００５５】
２）次に、数字補助キー５のうち、数字“１”補助キー５ａに引き続いて数字“６”補助キー５ｆを短押しすると、数字“１”補助キー５ａにプリセットされている数字“１”を表示部２の最上位の３桁目の数字２ａの数字入力枠に設定した後、さらに、次の２桁目の桁位置に移動して、数字“６”補助キー５ｆにプリセットされている数字“６”を、２桁目の数字２ｂの数字入力枠に設定することとなり、表示部２には“１６”が表示され、２桁目の数字２ｂの数字入力枠が数字入力フォーカスされてハイライト表示されている状態になる。
【００５６】
３）しかる後、図１の数字チューニング摘み３の時計方向への２刻み分の回転操作または図２の数字ＵＰキー３ａの２回短押し操作により“６”を“８”にＵＰさせ、３桁目の数字２ａ、２桁目の数字２ｂとして“１８”に遷移させる。
【００５７】
４）次に、数字“１”補助キー５ａを短押しすると、次の１桁目の桁位置に移動して、数字“１”補助キー５ａにプリセットされている数字“１”を、１桁目の数字２ｃの数字入力枠に設定することになり、表示部２には“１８１”が表示され、１桁目の数字２ｂの数字入力枠が数字入力フォーカスされてハイライト表示されている状態になる。
【００５８】
５）しかる後、図１の数字チューニング摘み３の反時計方向への１刻み分の回転操作または図２の数字ＤＯＷＮキー３ｂの１回短押し操作により“１”を“０”にＤＯＷＮさせる。この結果、３桁目の数字２ａ、２桁目の数字２ｂ、１桁目の数字２ｃとして“１８０”が表示部２に表示される。
【００５９】
６）最後に、モード切替ボタン４の短押し操作により、数字入力モードを解除して、通常入力モードに復帰させることにより、目的のトラック番号“１８０”の情報が再生される。
【００６０】
以上のように、本第２の具体例の場合には、数字補助キー５に、プリセットされている数字の入力機能と、数字入力フォーカスされる桁位置の移動機能とを併せ持たせることにより、図１のフォーカス移動チューニング摘み１、または、図２のフォーカスＵＰキー１ａ／フォーカスＤＯＷＮキー１ｂを削除することが可能であり、前述した第１の具体例に比して、より経済的な構成とすることができるとともに、操作手順をより簡素化することができる。
【００６１】
（数字補助キーが備えられていない場合）
次に、図１、図２の操作パネル１０，１０Ａとは異なり、数字がプリセットされている数字補助キー５が備えられていない場合のトラックサーチ動作の一例について説明する。
【００６２】
最初に、数字補助キーが備えられている場合と同様、情報の再生を行う通常入力モードに設定した状態で、図１の操作パネル１０の場合は、フォーカス移動チューニング摘み１の回転操作により、または、図２の操作パネル１０Ａの場合は、フォーカスＵＰキー１ａまたはフォーカスＤＯＷＮキー１ｂの押下操作により、目的とするフォルダまで移動する。
【００６３】
次に、移動した該フォルダ内において目的の情報が記録されているトラック番号を入力するために、モード切替ボタン４の短押し操作によって、数字入力モードに切り替えると、選択した目的のフォルダ内に例えば最大３桁のトラック番号までのトラックが存在している場合、数字補助キーが備えられている場合と同様、表示部２には、３桁の数字入力枠つまり３桁目の数字２ａ、２桁目の数字２ｂ、１桁目の数字２ｃの数字入力枠が表示され、デフォルトとして、すべての桁位置に“ＳＰＡＣＥ”が設定されるとともに、最上位の桁である３桁目の数字２ａの入力枠が、数字入カフォーカスされ、ハイライト表示される。
【００６４】
ここで、数字入カフォーカスされて、ハイライト表示する具体的な表示方法としては、例えば、数字入力枠の下線が点滅表示するようにしても良いし、数字入力枠そのものが点滅表示するようにしても良いし、あるいは、数字入力枠の周辺近傍にハイライト表示としてあらかじめ定めた特定の図形が点滅表示するようにしても良い。
【００６５】
次に、図１に示す操作パネル１０の場合は、数字チューニング摘み３の回転操作により、または、図２に示す操作パネル１０Ａの場合は、数字ＵＰキー３ａ、数字ＤＯＷＮキー３ｂのいずれかの短押し操作により、表示部２の数字入カフォーカスされている桁位置例えば３桁目の数字２ａの数字入力枠に表示されている数字が、目的の数字になるように、ＵＰ／ＤＯＷＮさせる操作を行う。
【００６６】
例えば、目的の数字が“７”の場合には、“ＳＰＡＣＥ”から“０”、“１”、…、“７”に達するまで順次ＵＰさせる操作を行う。つまり、図１の操作パネル１０の場合は、数字チューニング摘み３を時計方向への８つ刻み分の回転操作をして、“ＳＰＡＣＥ”を“７”までＵＰさせ、または、図２の操作パネル１０Ａの場合は、数字ＵＰキー３ａを８回短押し操作して、“ＳＰＡＣＥ”を“７”までＵＰさせる。
【００６７】
次に、図１の操作パネル１０の場合は、フォーカス移動チューニング摘み１の回転操作により、または、図２の操作パネル１０Ａの場合は、フォーカスＵＰキー１ａまたはフォーカスＤＯＷＮキー１ｂの押下操作により、数字入力フォーカスの桁位置を、次の桁位置例えば３桁目の数字２ａの入力枠から２桁目の数字２ｂの入力枠へ移動させ、表示部２に、次の桁位置として選択された数字表示枠例えば２桁目の数字２ｂの入力枠を数字入カフォーカスさせて、ハイライト表示させる。
【００６８】
しかる後、数字入カフォーカスされている桁位置の数字が目的の数字となるように、前述した場合と同様に、図１の数字チューニング摘み３または図２の数字ＵＰキー３ａの操作を行う。すべての桁位置が目的の数字に設定されるまで、前述の操作を繰り返すことにより、例えば、３桁のトラックサーチを行う場合には、目的のトラック番号を示す３桁の数字が、表示部２の３桁目の数字２ａ、２桁目の数字２ｂ、１桁目の数字２ｃとして表示された状態になる。
【００６９】
目的のトラック番号が表示部２に設定された状態で、モード切替ボタン４の短押し操作によって、数字補助キーが備えられている場合と同様、数字入力モードから通常入力モードに切り替えると、目的のトラック番号の情報が再生される。
【００７０】
なお、数字入力モードにおいて、モード切替ボタン４の長押し操作（またはダブルクリック操作）を行った場合、入力した数字をクリアする動作を行い、表示部２の３桁目の数字２ａ、２桁目の数字２ｂ、１桁目の数字２ｃには、“ＳＰＡＣＥ”が表示されて、最上位の桁位置である３桁目の数字２ａの数字入力枠が数字入力フォーカスされて、ハイライト表示された状態に復帰する。
【００７１】
また、トラック番号を示す情報として、無効な数字列が入力された場合についても、再入力を促すために、モード切替ボタン４の長押し操作（またはダブルクリック操作）を行った場合と同様に、入力した数字をクリアする動作を行い、最上位の桁位置がハイライトされた状態に復帰する。
【００７２】
以上のように、数字補助キーが備えられていない場合には、数字入力フォーカスされる数字の桁位置を移動するために、図１の操作パネル１０の場合は、フォーカス移動チューニング摘み１、または、図２の操作パネル１０Ａの場合は、フォーカスＵＰキー１ａ／フォーカスＤＯＷＮキー１ｂを備えていることが必要である。
【００７３】
なお、数字補助キー５が備えられている場合であっても、前述に説明したような数字補助キー５を使用しないで、数字補助キーが備えられていない場合のように、図１の数字チューニング摘み３または図２の数字ＵＰキー３ａ／数字ＤＯＷＮキー３ｂのみを用いて、目的の数字を設定するようにしても、もちろん構わない。
【００７４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００７５】
【図１】本発明による情報再生装置の操作パネルの一構成例を示す正面図である。
【図２】本発明による情報再生装置の操作パネルの図１とは異なる構成例を示す正面図である。
【符号の説明】
【００７６】
１      フォーカス移動チューニング摘み
１ａ    フォーカスＵＰキー
１ｂ    フォーカスＤＯＷＮキー
２      表示部
２ａ    ３桁目の数字
２ｂ    ２桁目の数字
２ｃ    １桁目の数字
３      数字チューニング摘み
３ａ    数字ＵＰキー
３ｂ    数字ＤＯＷＮキー
４      モード切替ボタン
５      数字補助キー
５ａ    数字“１”補助キー
５ｂ    数字“２”補助キー
５ｃ    数字“３”補助キー
５ｄ    数字“４”補助キー
５ｅ    数字“５”補助キー
５ｆ    数字“６”補助キー
１０    操作パネル
１０Ａ  操作パネル
【図１】
2009277331.tif 000003
【図２】
2009277331.tif 000004